(57)【要約】【課題】本発明は、ＯＬＴの光受信器に対して要求される入力ダイナミックレンジ及び応答速度を緩和することを目的とする。【解決手段】本発明は、ＯＬＴから一斉送信された下り光信号の受信強度を計測する受信信号強度通知器１３３と、受信信号強度通知器１３３が計測した下り光信号の受信強度に基づいて、ＯＬＴに送信される上り光信号の送信強度を制御することにより、ＯＬＴでバースト受信される上り光信号の受信強度を各ＯＮＵによらず略一定強度とするＬＤ駆動条件制御器１４と、を備えることを特徴とするＯＮＵ１である。【選択図】図４
2013090143.tif 000002
【特許請求の範囲】
【請求項１】
光局側装置から一斉送信された下り光信号の受信強度を計測する受信強度計測部と、
前記受信強度計測部が計測した下り光信号の受信強度に基づいて、前記光局側装置に送信される上り光信号の送信強度を制御することにより、前記光局側装置でバースト受信される上り光信号の受信強度を各光加入者側装置によらず略一定強度とする送信強度制御部と、
を備えることを特徴とする光加入者側装置。
【請求項２】
前記送信強度制御部は、前記受信強度計測部が計測した下り光信号の受信強度が高いほど、前記光局側装置に送信される上り光信号の送信強度を低く制御することを特徴とする、請求項１に記載の光加入者側装置。
【請求項３】
前記受信強度計測部が計測した下り光信号の受信強度に対応して、前記送信強度制御部が制御する上り光信号の送信強度を記憶している強度対応記憶部、
をさらに備えることを特徴とする、請求項１又は請求項２に記載の光加入者側装置。
【請求項４】
下り信号を一斉送信する光局側装置と、
前記光局側装置から一斉送信された下り光信号の受信強度をそれぞれ計測し、それぞれ計測した下り光信号の受信強度に基づいて、前記光局側装置にそれぞれ送信する上り光信号の送信強度をそれぞれ制御することにより、前記光局側装置でバースト受信される上り光信号の受信強度をそれぞれ略同一強度とする複数の光加入者側装置と、
を備えることを特徴とする光通信システム。
【請求項５】
前記複数の光加入者側装置は、それぞれ計測した下り光信号の受信強度が高いほど、前記光局側装置にそれぞれ送信する上り光信号の送信強度を低くそれぞれ制御することを特徴とする、請求項４に記載の光通信システム。
【請求項６】
前記複数の光加入者側装置は、それぞれ計測した下り光信号の受信強度に対応して、それぞれ制御する上り光信号の送信強度をそれぞれ記憶していることを特徴とする、請求項４又は請求項５に記載の光通信システム。
【発明の詳細な説明】
【技術分野】
【０００１】
本発明は、複数の光加入者側装置が１つの光局側装置に接続される受動光ネットワーク構成に関する。
【背景技術】
【０００２】
光アクセスシステムの代表的な網構成として、光加入者側装置（Ｏｐｔｉｃａｌ  Ｎｅｔｗｏｒｋ  Ｕｎｉｔ：ＯＮＵ）と光局側装置（Ｏｐｔｉｃａｌ  Ｌｉｎｅ  Ｔｅｒｍｉｎａｌ：ＯＬＴ）とが１対１で接続されるシングルスター構成（Ｓｉｎｇｌｅ  Ｓｔａｒ：ＳＳ）と、複数のＯＮＵが１つのＯＬＴに接続される受動光ネットワーク（Ｐａｓｓｉｖｅ  Ｏｐｔｉｃａｌ  Ｎｅｔｗｏｒｋ：ＰＯＮ）構成とがある。
【０００３】
ＳＳ方式においては、ＯＮＵがＯＬＴを占有出来るので、高速通信が可能であるが、装置コストが高いという欠点がある。一方、ＰＯＮ方式においては、複数のＯＮＵが１つのＯＬＴや光ファイバ設備を共有するために、経済性に優れるという理由から、多くの光アクセスシステムでは、ＰＯＮ方式が採用されている。
【０００４】
ＰＯＮ方式の下り伝送は連続モードで、各ＯＮＵへの信号は時分割多重（Ｔｉｍｅ  Ｄｉｖｉｓｉｏｎ  Ｍｕｌｔｉｐｌｅｘｉｎｇ：ＴＤＭ）されて伝送される。下り信号は全てのＯＮＵにブロードキャストされ、各ＯＮＵは自分宛の信号のみ選択受信する。
【０００５】
一方、上り伝送では、時分割多元接続（Ｔｉｍｅ  Ｄｉｖｉｓｉｏｎ  Ｍｕｌｔｉｐｌｅ  Ａｃｃｅｓｓ：ＴＤＭＡ）によって、信号の衝突を避けるために、各ＯＮＵはＯＬＴから指定されたタイミングで信号を伝送する。ＯＮＵとＯＬＴの間の伝送距離がＯＮＵ毎に異なるために、各ＯＮＵからの上り信号は互いに強度と位相が異なり間欠的であるという特徴があり、上り信号はバーストモードと呼ばれる。
【０００６】
従来技術におけるＯＮＵの構成を図１に示す。ＯＮＵ１は、ＷＤＭフィルタ１１、光送信器１２、光受信器１３を有する。ＷＤＭフィルタ１１は、波長の異なる光信号を分岐／結合する機能を有する。ＰＯＮ方式では一般に、上り信号と下り信号とで異なる波長を用いて通信するので、混信を防ぐためにＷＤＭフィルタ１１を用いる。
【０００７】
光送信器１２は、レーザダイオード（Ｌａｓｅｒ  Ｄｉｏｄｅ：ＬＤ）１２１、ＬＤ駆動器（ＬＤ  Ｄｒｉｖｅｒ：ＬＤＤ）１２２、自動パワー制御器（Ａｕｔｏｍａｔｉｃ  Ｐｏｗｅｒ  Ｃｏｎｔｒｏｌｌｅｒ：ＡＰＣ）１２３を有する。ＬＤ駆動器１２２は、ＬＤ１２１に流れる電流を送信信号に基づき駆動し、対応する光信号を出力する。ＡＰＣ１２３は、ＬＤ１２１の出力光信号強度が一定値になるよう制御する機能を有する。
【０００８】
光受信器１３は、フォトダイオード（Ｐｈｏｔｏ  Ｄｉｏｄｅ：ＰＤ）１３１、等化増幅器（ＥＱｕａｌｉｚｉｎｇ  Ａｍｐｌｉｆｉｅｒ：ＥＱＡ）１３２、受信信号強度通知器（Ｒｅｃｅｉｖｅｄ  Ｓｉｇｎａｌ  Ｓｔｒｅｎｇｔｈ  Ｉｎｄｉｃａｔｏｒ：ＲＳＳＩ）１３３を有する。クロックデータ再生器（Ｃｌｏｃｋ  ａｎｄ  Ｄａｔａ  Ｒｅｃｏｖｅｒｙ：ＣＤＲ）は、光受信器１３が有することもあるが、伝送装置の機能分担という観点から、光受信器１３後段の論理回路装置２が有することもある。
【０００９】
受信信号強度通知器１３３は、ＰＤ１３１に流れる光電流強度をモニタする機能を有する。等化増幅器１３２は、インピーダンス変換増幅器（ＴｒａｎｓＩｍｐｅｄａｎｃｅ  Ａｍｐｌｉｆｉｅｒ：ＴＩＡ）と振幅制限増幅器（ＬＩｍｉｔｉｎｇ  Ａｍｐｌｉｆｉｅｒ：ＬＩＡ）を有する。ＣＤＲは、クロック再生回路（Ｃｌｏｃｋ  Ｒｅｃｏｖｅｒｙ  Ｃｉｒｃｕｉｔ：ＣＲＣ）と識別再生回路（ＤＥｃｉｓｉｏｎ  Ｃｉｒｃｕｉｔ：ＤＥＣ）  を有する。光受信器１３への入力光信号は、ＰＤ１３１によって電流信号に変換され、ＴＩＡにおいて電圧信号に変換され、ＬＩＡにおいて後段のＣＤＲで識別再生可能なレベルに振幅制限されて増幅される。ＣＤＲにおいては、ＣＲＣが入力信号からクロック信号を抽出・再生し、その再生クロックによって与えられる識別タイミングで、ＤＥＣが入力信号を識別再生し、後段の論理回路装置２へと再生信号を送出する。
【先行技術文献】
【非特許文献】
【００１０】
【非特許文献１】“Ａ  Ｂｕｒｓｔ−Ｍｏｄｅ  ３Ｒ  Ｒｅｃｅｉｖｅｒ  ｆｏｒ  １０−Ｇｂｉｔ／ｓ  ＰＯＮ  Ｓｙｓｔｅｍｓ  Ｗｉｔｈ  Ｈｉｇｈ  Ｓｅｎｓｉｔｉｖｉｔｙ，Ｗｉｄｅ  Ｄｙｎａｍｉｃ  Ｒａｎｇｅ，ａｎｄ  Ｆａｓｔ  Ｒｅｓｐｏｎｓｅ” ，ＩＥＥＥ  Ｊｏｕｒｎａｌ  ｏｆ  Ｌｉｇｈｔｗａｖｅ  Ｔｅｃｈｎｏｌｏｇｙ，Ｖｏｌ．２６，Ｎｏ．１，ｐｐ．９９−１０７，Ｊａｎｕａｒｙ  ２００８．
【発明の概要】
【発明が解決しようとする課題】
【００１１】
下り信号は連続モードであり、各ＯＮＵがＯＬＴから受信する光信号強度は、原理的に一定であるが、大抵はユーザ毎には異なる。例えば、互いにＯＬＴからの距離が異なる加入者Ａと加入者Ｂとが任意のＰＯＮ網においてＯＬＴに接続されている際、各々がＯＬＴから受信する光信号強度をそれぞれＰｄｏｗｎ＿Ａ、Ｐｄｏｗｎ＿Ｂとすると、Ｐｄｏｗｎ＿Ａ≠Ｐｄｏｗｎ＿Ｂであり、Ｐｄｏｗｎ＿ＡおよびＰｄｏｗｎ＿Ｂはそれぞれ原理的には変化しない。但し、光部品性能の経時変化によっては変化することも十分ある。
【００１２】
上り光信号はバーストモードであるため、ＯＬＴの光受信器を構成するＴＩＡ、ＬＩＡは強度の著しく異なるバースト信号を歪み無く増幅し、ＣＲＣは互いに異なる位相のバースト信号からクロック信号を抽出する必要がある。その際にはバースト信号毎に各々の受信回路は最適化される必要があるが、各回路はある一定の応答時間を必要とする。
【００１３】
上り信号はＴＤＭＡであり、ＴＩＡやＬＩＡの応答時間が長いと共有リソースである上り信号帯域が無駄になってしまうため、ＴＩＡやＬＩＡに対しては高速応答性能が要求される。また、上り通信サービスを提供するという観点からは、多分岐化対応や広域収容のために大きな伝送路損失をサポートする必要があるため、等化増幅器を構成するＴＩＡやＬＩＡには高感度かつ広ダイナミックレンジな受信性能が求められる。
【００１４】
従来技術におけるＯＮＵでの上り光信号の送信処理を図２に示す。第１ＯＮＵの方が第２ＯＮＵよりもＯＬＴからの伝送距離が長く、伝送路損失が大きいものとする。
【００１５】
時刻ｔ０が初期状態とし、時刻ｔ０で第１ＯＮＵおよび第２ＯＮＵに電源が入り、時刻ｔ１から正常動作し始めるものとする。第１ＯＮＵおよび第２ＯＮＵのＬＤ駆動器１２２はＬＤ１２１をバイアス電流Ｉｂｉａｓ＿１および駆動電流ｉｄｒｖ＿１で駆動する。
【００１６】
第１ＯＮＵは時刻ｔ１から上り信号の送信をＯＬＴから許可されているとする。時刻ｔ２までに第１ＯＮＵのＬＤ１２１がセットアップを終え、時刻ｔ３まで上りデータを送信し、時刻ｔ４までの間に第１ＯＮＵのＬＤ１２１は発光を終える。
【００１７】
第２ＯＮＵは時刻ｔ５から上り信号の送信をＯＬＴから許可されているとする。時刻ｔ６までに第２ＯＮＵのＬＤ１２１がセットアップを終え、時刻ｔ７まで上りデータを送信し、時刻ｔ８までの間に第２ＯＮＵのＬＤ１２１は発光を終える。
【００１８】
従来技術におけるＯＬＴでの上り光信号の受信処理を図３に示す。ＯＬＴの光受信器はバースト信号が入力されるという点がＯＮＵの光受信器とは異なるが、ＯＬＴの光受信器の構成はＯＮＵの光受信器の構成と同様なので特に図示しない。
【００１９】
時刻ｔ９から第１ＯＮＵの上りデータがＯＬＴの光受信器に入力され、一定の応答時間の後、ｔ１０からｔ１１までの間、正味のデータを受信し、ｔ１２までに消光する。時刻ｔ１３から第２ＯＮＵの上りデータがＯＬＴの光受信器に入力され、一定の応答時間の後、ｔ１４からｔ１５までの間、正味のデータを受信し、ｔ１６までに消光する。
【００２０】
図２より、第１ＯＮＵと第２ＯＮＵの上り光信号がＯＮＵの光送信器から出力される際の光信号パワーは、第１ＯＮＵと第２ＯＮＵとで差はない。なぜなら、ＬＤ１２１のバイアス電流と駆動電流が第１ＯＮＵと第２ＯＮＵとでほぼ同程度だからである。
【００２１】
図３より、第１ＯＮＵと第２ＯＮＵの上り光信号がＯＬＴの光受信器に入力される際の光信号パワー、つまりＰＤ１３１を流れる光電流は、第１ＯＮＵと第２ＯＮＵとで異なり、それぞれＩｒｃｖ１、Ｉｒｃｖ２で、Ｉｒｃｖ１＜Ｉｒｃｖ２である。なぜなら、第１ＯＮＵの方が第２ＯＮＵよりもＯＬＴからの伝送距離が長く、ＯＬＴまでの伝送路損失が大きいからである。
【００２２】
従って、従来のＯＬＴの光受信器に対しては、広い範囲の入力パワーに対して誤り無く動作することだけでなく、上り帯域の利用効率を向上させるという観点から、互いに強度の異なる入力光信号に対する高速応答性能も併せて求められてきた。
【００２３】
そこで、前記課題を解決するために、本発明は、ＯＬＴの光受信器に対して要求される入力ダイナミックレンジ及び応答速度を緩和することを目的とする。
【課題を解決するための手段】
【００２４】
光局側装置が複数の光加入者側装置に一斉送信する下り光信号について、送信強度は複数の光加入者側装置について等しいが、受信強度は複数の光加入者側装置について伝送路損失の差異を反映して異なる。そこで、複数の光加入者側装置が光局側装置に送信する上り光信号について、受信強度が複数の光加入者側装置について等しくなるように、送信強度が複数の光加入者側装置について伝送路損失の差異を反映して異なるようにする。つまり、それぞれの光加入者側装置での下り光信号の受信強度に基づいて、それぞれの光加入者側装置での上り光信号の送信強度を制御するようにする。
【００２５】
具体的には、本発明は、光局側装置から一斉送信された下り光信号の受信強度を計測する受信強度計測部と、前記受信強度計測部が計測した下り光信号の受信強度に基づいて、前記光局側装置に送信される上り光信号の送信強度を制御することにより、前記光局側装置でバースト受信される上り光信号の受信強度を各光加入者側装置によらず略一定強度とする送信強度制御部と、を備えることを特徴とする光加入者側装置である。
【００２６】
また、本発明は、下り信号を一斉送信する光局側装置と、前記光局側装置から一斉送信された下り光信号の受信強度をそれぞれ計測し、それぞれ計測した下り光信号の受信強度に基づいて、前記光局側装置にそれぞれ送信する上り光信号の送信強度をそれぞれ制御することにより、前記光局側装置でバースト受信される上り光信号の受信強度をそれぞれ略同一強度とする複数の光加入者側装置と、を備えることを特徴とする光通信システムである。
【００２７】
この構成によれば、複数の光加入者側装置が光局側装置に送信する上り光信号について、受信強度が複数の光加入者側装置について等しくなるため、光局側装置の光受信器に対して要求される入力ダイナミックレンジ及び応答速度を緩和することができる。
【００２８】
また、本発明は、前記送信強度制御部は、前記受信強度計測部が計測した下り光信号の受信強度が高いほど、前記光局側装置に送信される上り光信号の送信強度を低く制御することを特徴とする光加入者側装置である。
【００２９】
また、本発明は、前記複数の光加入者側装置は、それぞれ計測した下り光信号の受信強度が高いほど、前記光局側装置にそれぞれ送信する上り光信号の送信強度を低くそれぞれ制御することを特徴とする光通信システムである。
【００３０】
この構成によれば、下り光信号の受信強度及び上り光信号の送信強度を対応付ける相関関係を利用して、複数の光加入者側装置が光局側装置に送信する上り光信号について、受信強度を複数の光加入者側装置について等しくすることができる。
【００３１】
また、本発明は、前記受信強度計測部が計測した下り光信号の受信強度に対応して、前記送信強度制御部が制御する上り光信号の送信強度を記憶している強度対応記憶部、をさらに備えることを特徴とする光加入者側装置である。
【００３２】
また、本発明は、前記複数の光加入者側装置は、それぞれ計測した下り光信号の受信強度に対応して、それぞれ制御する上り光信号の送信強度をそれぞれ記憶していることを特徴とする光通信システムである。
【００３３】
この構成によれば、下り光信号の受信強度及び上り光信号の送信強度を対応付ける記憶部を利用して、複数の光加入者側装置が光局側装置に送信する上り光信号について、受信強度を複数の光加入者側装置について等しくすることができる。
【発明の効果】
【００３４】
本発明は、ＯＬＴの光受信器に対して要求される入力ダイナミックレンジ及び応答速度を緩和することができる。
【図面の簡単な説明】
【００３５】
【図１】従来技術におけるＯＮＵの構成を示す図である。
【図２】従来技術におけるＯＮＵでの上り光信号の送信処理を示す図である。
【図３】従来技術におけるＯＬＴでの上り光信号の受信処理を示す図である。
【図４】本発明におけるＯＮＵの構成を示す図である。
【図５】本発明におけるＯＮＵでの上り光信号の送信処理を示す図である。
【図６】本発明におけるＯＬＴでの上り光信号の受信処理を示す図である。
【図７】本発明におけるＯＮＵでの動作条件を示す図である。
【発明を実施するための形態】
【００３６】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３７】
本発明におけるＯＮＵの構成を図４に示す。ＯＮＵ１は、ＷＤＭフィルタ１１、光送信器１２、光受信器１３、ＬＤ駆動条件制御器１４、素子動作条件格納テーブル１５を有し、論理回路装置２に接続される。光送信器１２は、ＬＤ１２１、ＬＤ駆動器１２２、自動パワー制御器１２３を有し、論理回路装置２に接続される。光受信器１３は、ＰＤ１３１、等化増幅器１３２、受信信号強度通知器１３３を有し、論理回路装置２に接続される。
【００３８】
素子動作条件格納テーブル１５は、例えば不揮発性メモリのような記憶素子であって、ＰＤ１３１に流れる光電流値やＬＤ１２１の駆動条件を対応付ける情報が格納される。ＬＤ駆動条件制御器１４は、素子動作条件格納テーブル１５、自動パワー制御器１２３、受信信号強度通知器１３３のそれぞれに接続されており、受信信号強度通知器１３３から読み出したＰＤ１３１の光電流値を素子動作条件格納テーブル１５に書き込み、また、素子動作条件格納テーブル１５にセットされたＬＤ１２１の駆動条件を読み込み、ＬＤ１２１の駆動条件を自動パワー制御器１２３に対して設定する。
【００３９】
上の方法は、下り光信号の受信強度及び上り光信号の送信強度を対応付ける記憶部を利用する方法であるが、次の方法は、下り光信号の受信強度及び上り光信号の送信強度を対応付ける相関関係を利用する方法である。つまり、下り光信号の受信強度が高いほど、上り光信号の送信強度を低くする方法を用いる。または、下り光信号の受信強度に反比例して、上り光信号の送信強度を制御する方法を用いる。
【００４０】
下り光信号の受信強度に反比例して、上り光信号の送信強度を制御する方法について、以下に説明する。第１ＯＮＵとＯＬＴの間の伝送距離をＬ１とし、第２ＯＮＵとＯＬＴの間の伝送距離をＬ２とする。第１ＯＮＵ及びＯＬＴの間の送受信において、受信強度は送信強度の１／Ｌ１（Ｌ１＞１）倍とする。第２ＯＮＵ及びＯＬＴの間の送受信において、受信強度は送信強度の１／Ｌ２（Ｌ２＞１）倍とする。下り光信号の送信強度が、第１ＯＮＵ及び第２ＯＮＵに対して等しくＴｄｏｗｎであるとき、下り光信号の第１ＯＮＵ及び第２ＯＮＵでの受信強度は、Ｒｄｏｗｎ＿１＝Ｔｄｏｗｎ／Ｌ１及びＲｄｏｗｎ＿２＝Ｔｄｏｗｎ／Ｌ２である。上り光信号の受信強度が、第１ＯＮＵ及び第２ＯＮＵに対して等しくＲｕｐであるとき、上り光信号の第１ＯＮＵ及び第２ＯＮＵでの送信強度は、Ｔｕｐ＿１＝Ｒｕｐ×Ｌ１及びＴｕｐ＿２＝Ｒｕｐ×Ｌ２である。そこで、Ｒｄｏｗｎ×Ｔｕｐ＝Ｔｄｏｗｎ×Ｒｕｐ＝一定が成立するように、Ｒｄｏｗｎに対してＴｕｐを決定する。
【００４１】
本発明におけるＯＮＵでの上り光信号の送信処理を図５に示す。第１ＯＮＵの方が第２ＯＮＵよりもＯＬＴからの伝送距離が長く、伝送路損失が大きいものとする。時刻ｔ０が初期状態とし、時刻ｔ０で第１ＯＮＵおよび第２ＯＮＵに電源が入り、時刻ｔ１から正常動作し始めるものとする。
【００４２】
第１ＯＮＵにおいて、受信信号強度通知器１３３は、時刻ｔ１から第１ＯＮＵに対する入力光電流値Ｉｉｎ＿１を出力する。ＬＤ駆動条件制御器１４は、入力光電流値Ｉｉｎ＿１を受信信号強度通知器１３３から読み出し、時刻ｔ２までに素子動作条件格納テーブル１５に書き込む。ＬＤ駆動条件制御器１４は、素子動作条件格納テーブル１５を参照し、ＬＤ１２１の最適バイアス電流Ｉｂｉａｓ＿１および最適駆動電流ｉｄｒｖ＿１を、時刻ｔ３までに自動パワー制御器１２３に対して設定する。上述したように、記憶部を利用することもでき、上り送信光信号強度と下り受信光信号強度との相関関係を利用することもできる。
【００４３】
第２ＯＮＵにおいて、受信信号強度通知器１３３は、時刻ｔ１から第２ＯＮＵに対する入力光電流値Ｉｉｎ＿２を出力する。ＬＤ駆動条件制御器１４は、入力光電流値Ｉｉｎ＿２を受信信号強度通知器１３３から読み出し、時刻ｔ２までに素子動作条件格納テーブル１５に書き込む。ＬＤ駆動条件制御器１４は、素子動作条件格納テーブル１５を参照し、ＬＤ１２１の最適バイアス電流Ｉｂｉａｓ＿２および最適駆動電流ｉｄｒｖ＿２を、時刻ｔ３までに自動パワー制御器１２３に対して設定する。上述したように、記憶部を利用することもでき、上り送信光信号強度と下り受信光信号強度との相関関係を利用することもできる。
【００４４】
第１ＯＮＵは時刻ｔ３から上り信号の送信をＯＬＴから許可されているとする。時刻ｔ４までに第１ＯＮＵのＬＤ１２１がセットアップを終え、時刻ｔ５まで上りデータを送信し、時刻ｔ６までの間に第１ＯＮＵのＬＤ１２１は発光を終える。
【００４５】
第２ＯＮＵは時刻ｔ７から上り信号の送信をＯＬＴから許可されているとする。時刻ｔ８までに第２ＯＮＵのＬＤ１２１がセットアップを終え、時刻ｔ９まで上りデータを送信し、時刻ｔ１０までの間に第２ＯＮＵのＬＤ１２１は発光を終える。
【００４６】
本発明におけるＯＬＴでの上り光信号の受信処理を図６に示す。時刻ｔ１１から第１ＯＮＵの上りデータがＯＬＴの光受信器に入力され、一定の応答時間の後、ｔ１２からｔ１３までの間、正味のデータを受信し、ｔ１４までに消光する。時刻ｔ１５から第２ＯＮＵの上りデータがＯＬＴの光受信器に入力され、一定の応答時間の後、ｔ１６からｔ１７までの間、正味のデータを受信し、ｔ１８までに消光する。
【００４７】
図６より、ＯＬＴの光受信器の入力光電流はＩｒｃｖ１とほぼ一定であるため、ＯＬＴの光受信器に対する入力ダイナミックレンジ要求条件を緩和できる。また、要求入力ダイナミックレンジが狭くて良いので、入力強度が互いに異なるバースト信号に対して光受信器の状態を最適化するまでに要する応答時間も短縮することが出来る。一例として、本発明における第１ＯＮＵと第２ＯＮＵでの動作条件を図７に示すが、光ファイバの伝送距離やＬＤ１２１やＰＤ１３１などの部品の性能に依存する。
【００４８】
本実施形態におけるＯＮＵ１では、ＷＤＭフィルタ１１を用いたが、必ずしもＷＤＭフィルタ１１を必要とするわけではなく、例えば方向多重（Ｄｉｒｅｃｔｉｏｎ  Ｄｕｐｌｅｘ  Ｍｕｌｔｉｐｌｅｘｉｎｇ：ＤＤＭ）を用いる際はＷＤＭフィルタ１１が不要になる。また、ＯＮＵ数として２台を例に説明したが、当然３台以上でも可能である。
【産業上の利用可能性】
【００４９】
本発明に係る光加入者側装置及び光通信システムは、ＯＬＴの光受信器に対して要求される入力ダイナミックレンジ及び応答速度を緩和するＰＯＮに適用することができる。
【符号の説明】
【００５０】
１：ＯＮＵ
２：論理回路装置
１１：ＷＤＭフィルタ
１２：光送信器
１３：光受信器
１４：ＬＤ駆動条件制御器
１５：素子動作条件格納テーブル
１２１：ＬＤ
１２２：ＬＤ駆動器
１２３：自動パワー制御器
１３１：ＰＤ
１３２：等化増幅器
１３３：受信信号強度通知器
【図１】
2013090143.tif 000003
【図２】
2013090143.tif 000004
【図３】
2013090143.tif 000005
【図４】
2013090143.tif 000006
【図５】
2013090143.tif 000007
【図６】
2013090143.tif 000008
【図７】
2013090143.tif 000009